(57)【特許請求の範囲】
【請求項１】
それぞれに複数の誘導通路を設けた右ブロック部と、左ブロック部とを有し、これら左右のブロック部を連結板を介して切り離し自在且つ一連一体に形成したことを特徴とするパチンコ機の遊技盤裏面に設ける入賞球誘導通路ユニット。
【発明の詳細な説明】
【０００１】
【産業上の利用分野】
本発明は、遊技盤上に複数の入賞口を配設してなるパチンコ機において、各入賞口に入った入賞球を遊技盤の裏面で振り分けて下方へ誘導する複数の誘導通路を、左ブロック部と右ブロック部に組分けて設け、これらの左右のブロック部を連結板により分離自在且つ一連一体に形成したパチンコ機の遊技盤裏面に設ける入賞球誘導通路ユニットに関するものである。
【０００２】
【従来の技術】
従来パチンコ機の遊技盤は、打球を誘導する誘導レ−ルによって囲まれる遊技領域内において、そのほぼ中央に設けた可変表示装置の下方に変動入賞装置（大入賞口）が設けられ、始動入賞口若しくは通常入賞口は、前記可変表示装置及び変動入賞装置を境にして遊技盤の左右の両側のほぼ対称する位置に設けられている。そしてこれらの複数の入賞口は、遊技盤の裏面で入賞球を振り分けて下方へ誘導するために、ブリキ板等を釘打ちした誘導通路が各入賞口ごとに個々に設けられていた。
【０００３】
また、前記のような各入賞口ごとに個々に設けた誘導通路とは別に、各入賞口に対応して合致位置する多数の誘導通路を有して一体的に形成した入賞球集合カバ−が提供されている（例えば特開平１−３０８５８０号公報第６図参照）。
【０００４】
【発明が解決しようとする課題】
従来の技術で述べたもののうち、前者は、各入賞口ごとに個々に誘導通路を設ける作業が面倒で多くの時間がかかり、作業能率が悪い問題点があり、後者は、誘導通路が特定の機種の遊技盤に備える各入賞口に合致位置するように配置形成しているために、特定機種の遊技盤にのみ適応し、他機種の遊技盤には適応できないために、各機種ごとの入賞球集合カバ−を作成しなければならず、このことは製作費が高くなって経済効率が悪い等の問題点があった。
【０００５】
本発明は、上記の点に鑑みてなされたもので、その目的とするところは、複数の入賞球誘導通路を右ブロック部と左ブロック部とに組分けて設置し、これら左右のブロック部を中央部で連結板を介して分離自在且つ一連一体に形成し、機種に応じて、左右ブロック部を連結板に連結した状態で、又は、左右ブロック部を連結板から切り離した状態で遊技盤裏面に設置可能とした誘導通路ユニットを提供するものである。
【０００６】
【課題を解決するための手段】
上記目的を達成するために、本発明におけるパチンコ機の遊技盤裏面に設ける入賞球誘導通路ユニットは、それぞれに複数の誘導通路を設けた右ブロック部と、左ブロック部とを有し、これら左右のブロック部を連結板を介して切り離し自在且つ一連一体に形成してなるものである。
【０００７】
前記誘導通路ユニットは合成樹脂材からなり、右ブロック部は、変動入賞装置の真上の始動入賞口に連通する誘導通路と、変動入賞装置の右側に一体に有する通常入賞口に連通する誘導通路と、変動入賞装置を境にする右側上下の始動入賞口及び通常入賞口に共通に連通する誘導通路を有して形成され、左ブロック部には、変動入賞装置の左側に一体に有する通常入賞口に連通する誘導通路と、変動入賞装置を境にする右側上下の始動入賞口及び通常入賞口に共通に連通する誘導通路を有して形成するのが好ましい。
【０００８】
また、前記連結板は、桟枠になり、この桟枠の両側の連結端に楔状に切込む薄肉の接続部によって左右ブロックに一体に連結するのが好ましい。
【０００９】
【作用】
誘導通路ユニットは、一般的に、左右ブロック部を連結板に連結した状態で遊技盤の全ての入賞口に合致位置することができる。また、機種が異なるもの、例えば、左右ブロック部を連結板に連結した状態では遊技盤の全ての入賞口に合致しない場合、左右のブロック部を連結板から切り離すことにより、遊技板の右側及び左側の各入賞球誘導通路をそれぞれに合致させて設置することが可能となる。また、連結板は、複数の桟枠により平板状に形成され、そして各桟枠の左右端には薄肉状の接続部を設けて左右ブロック部に一体に接続してあるので、左右ブロック部は、連結板から容易簡単に切り外し分離することが可能である。
【００１０】
【実施例】
実施例について図面を参照して説明すると、図１は遊技盤の正面図、図２は遊技盤の裏面図、図３は誘導通路ユニットの斜視図、図４はその正面図、図５はその縦断平面図で、パチンコ遊技機の遊技盤１は、打球を誘導する誘導レ−ル２が取付けられ、この誘導レ−ル２によって囲まれる内側範囲を遊技領域とし、この遊技領域のほぼ中央に可変表示装置３が設けられ、その下方には、開閉扉４を有する変動入賞装置５が設けられている。変動入賞装置５の真上に始動入賞口６が設けられ、また、変動入賞装置５を境にする左右両側の上方部にも始動入賞口７ａ，７ｂが設けられている。更に、変動入賞装置５を境とする左右両側の前記始動入賞口７ａ，７ｂの下方となる位置に打球を通常の入賞球とする通常入賞口８ａ，８ｂが配設され、また、前記変動入賞装置５の左右に通常入賞口９ａ，９ｂが一体に設けられている。なお、前記可変表示装置３は例えば３桁のデジタル表示部を有する周知構造のものである。
【００１１】
また、遊技盤１の裏面には、図２〜図５に示すような誘導通路ユニット１０が取りつけられている。この誘導通路ユニット１０は、合成樹脂材により、右ブロック部１０ａ（図３の右側）と左ブロック部１０ｂ（図３の左側）とを有し、これらの左右のブロック部１０ａ，１０ｂは連結板１１の左右にそれぞれに接続して一連一体に成形されている。前記右ブロック部１０ａは、変動入賞装置５の真上に位置する始動入賞口６に連通する誘導通路１２と、変動入賞装置５の右側に一体に設けられた通常入賞口９ａに連通する誘導通路１３ａと、変動入賞装置５を境にする右側の上下に位置する始動入賞口７ａ及び通常入賞口８ａに共通に連通する誘導通路１４ａを有して形成され、前記誘導通路１２は横方へ曲折し且つ下流端を下方へ曲折させてこの下流端の下方に始動入賞球検出装置１５の収納空間１６を設けて誘導通路１３ａへ接続連通させ、前記収納空間１６には始動入賞球検出装置１５を係止させるための係合片１７、１８を有して形成される。また、左ブロック部１０ｂは、変動入賞装置５の左側に一体に設けられた通常入賞口９ｂに連通する誘導通路１３ｂと、変動入賞装置５を境にする右側の上下に位置する始動入賞口７ｂ及び通常入賞口８ｂに共通に連通する誘導通路１４ｂを有して形成される。更に、前記連結板１１は、桟枠１９になり、この桟枠１９の両側の連結端に楔状に切込んで薄肉になる接続部２０ａ，２０ｂによって左右のブロック１０ａ，１０ｂに一連一体に接続される。
【００１２】
そして、打球が始動入賞口６，７ａ，７ｂに入賞したとき、可変表示装置３のデジタルが変動を開始し、所定時間経過後、その変動を停止し、その停止時の表示態様が予め定められた組み合わせであるときに変動入賞装置５の開閉扉４が一定時間（例えば、３０秒）、或は所定個数（例えば、１０個）入賞するまで解放状態を続け、開閉扉４内に設けられたＶ入賞口に入賞すると再度上記した解放状態を繰り返すようになっている。
【００１３】
図６は他の機種の遊技盤の正面図、図７はその裏面図で、この遊技盤５１は、打球を誘導する誘導レ−ル５２によって囲まれる内側範囲を遊技領域とし、この遊技領域のほぼ中央に可変表示装置５３が設けられ、その下方には、開閉扉５４を有する変動入賞装置５５が設けられている。変動入賞装置５５の真上に始動入賞口５６が設けられ、また、変動入賞装置５５を境にする左右両側の上方部にも始動入賞口５７ａ，５７ｂが設けられている。更に、変動入賞装置５５を境とする左右両側の前記始動入賞口５７ａ，５７ｂの下方となる位置に打球を通常の入賞球とする通常入賞口５８ａ，５８ｂが配設され、また、前記変動入賞装置５５の左右に通常入賞口５９ａ，５９ｂが一体に設けられている。
【００１４】
図６に示す始動入賞口５６は、例えば電動チューリップであり、取付板６０の前面に起立および傾動自在な一対の可変翼片６１，６１を有し、取付板６０の裏面に設けられたソレノイド６２の励磁動作により起立した可動翼片６１，６１を傾動させる周知構造のものとして示されている。
【００１５】
しかして、図７に示すように、遊技盤５１に、本発明の誘導通路ユニット１０を設置する場合、ソレノイド６２を避け、そして左右の間隔が広がった複数の入賞口に誘導通路を合致させるために、連結板１１から左右のブロック部１０ａ，１０ｂを連結板１１から切り離して、左ブロック部１０ａと右ブロック部１０ｂとを個々の部品として、遊技盤裏面の左側若しくは右側の各誘導通路に合致させて設置することを可能にしている。
【００１６】
【発明の効果】
本発明は上記の構成になるので、連結板を介して左右のブロック部を一連一体に形成した誘導通路ユニットは、一般には、左右のブロック部を連結板に接続したままの状態で遊技盤裏面に設置するだけで左右のブロック部に有する誘導通路が入賞口に合致される。更に、連結板から左右のブロック部を分離することで、異なる機種に広く使用することができ、それ故に製作費が安く経済効率が頗る良い等の利点がある。
【図面の簡単な説明】
【図１】遊技盤の正面図である。
【図２】本発明の誘導通路ユニットを設置して示す遊技盤の裏面図である。
【図３】本発明の誘導通路ユニットの斜視図である。
【図４】本発明の誘導通路ユニットの正面図である。
【図５】本発明の誘導通路ユニットの縦断平面図である。
【図６】他の機種の遊技盤の正面図である。
【図７】図６の遊技盤に本発明の誘導通路ユニットを設置して示す他の使用例を示す裏面図である。
【符号の説明】
１            遊技盤
１０          誘導通路ユニット
１０ａ        右ブロック部
１０ｂ        左ブロック部
１１          連結板
１２，１３ａ，１３ｂ，１４ａ，１４ｂ  誘導通路
【図１】
0003861296.tif 000002
【図２】
0003861296.tif 000003
【図３】
0003861296.tif 000004
【図４】
0003861296.tif 000005
【図５】
0003861296.tif 000006
【図６】
0003861296.tif 000007
【図７】
0003861296.tif 000008